(57)【要約】【課題】  遠赤外線ランプ、ヒーター、バイブレーター、ローラー、セラミックボールの組み合せにより、足の全面を温めると共に、特にセラミックボールがバイブレーターにより、足の指股や主に裏面を刺激（指圧）することにより、陽気回復、疾病予防に効果があり、かつ、血液循環の向上、抗菌効果等、安全・安心して使用できる足マッサージ器を提供する。【解決手段】  ケース本体内に遠赤外線ランプ、ヒーター、バイブレーター、セラミックボールを設けてなることを特徴とする。【選択図】  図１
2006051315.tif 000002
【特許請求の範囲】
【請求項１】
ケース本体内に遠赤外線ランプ、ヒーター、バイブレーター、セラミックボールを設けてなることを特徴とする足マッサージ器。
【請求項２】
ケース本体内において、遠赤外線ランプを前部に設け、ヒーターを面状ヒーターとして底面に設け、バイブレーター及びセラミックボールを底面に設けてなることを特徴とする請求項１記載の足マッサージ器。
【請求項３】
ケース本体の後部にローラーを設けてなることを特徴とする請求項１又は２記載の足マッサージ器。
【請求項４】
ケース本体内に、足の指股に挿入する挿入具を設けてなることを特徴とする請求項１、２又は３記載の足マッサージ器。
【請求項５】
挿入具を突設してなる足板を設けてなることを特徴とする請求項１、２又は３記載の足マッサージ器。
【請求項６】
ケース本体に、膝カバーを設けてなることを特徴とする請求項１、２、３、４又は５記載の足マッサージ器。
【請求項７】
足板の先端部付近に足の指股に挿入する挿入具を可動自在に設けてなることを特徴とする足マッサージ器。
【発明の詳細な説明】
【技術分野】
【０００１】  本発明は、足の裏及び／または表を温めると共に、マッサージ効果を付加してなる足マッサージ器に関するものである。
【背景技術】
【０００２】  従来の技術としては、ヒータを内蔵され、かつ上部に温風吹き出し口を有するケーシングと、前記ケーシング内の暖められた空気を撹拌し、前記温風吹き出し口から温風を吹き出させるファンとを有することを特徴とする足温器がある。（特許文献１参照）【０００３】  また、別の従来技術として、足部を入れる温水浴槽内に、該足部を載置し振動するためのバイブレータを配置し、該バイブレータの振動部に温度制御器により制御可能の温水加熱用ヒータを取付けるとともに、前記バイブレータの振動部と温水浴槽との間に振動吸収用ベローを配設し、さらに前記バイブレータの上部に突起物、側面に前記加熱用ヒータ設置付近に臨んでフィン状の突起物をそれぞれ設けたことを特徴とする足温浴装置がある。（特許文献２参照）
【特許文献１】  特開平９−１７３３７４号公報
【特許文献２】  特開平８−５７０１３号公報
【発明の開示】
【発明が解決しようとする課題】
【０００４】  以上、述べたように上記前者の場合においては、ヒーターとファン及びマッサージロールを設けてなるもので、足の裏面を温めると共に、必要に応じてマッサージロールにてマッサージするものであるが、足の裏面のみで、足の表面への温熱効果やマッサージ効果（バイブレーター等による）を有していない。【０００５】  また、上記後者においても、温水内で足の裏面をヒーターとバイブレーターにてマッサージするものであり、特に温水（水）を使用するため、漏電等の問題がある。【０００６】  さらに、上記前者及び後者において、セラミックボールを使用していないため、ランダムに動くセラミックボールによる指圧効果等は得られないものである。【０００７】  本発明は、上記の問題点に鑑みなされたもので、遠赤外線ランプ、ヒーター、バイブレーター、ローラー、セラミックボールの組み合せにより、足の全面を温めると共に、特にセラミックボールがバイブレーターにより、足の指股や主に裏面を刺激（指圧）することにより、陽気回復、疾病予防に効果があり、かつ、血液循環の向上、抗菌効果等、安全・安心して使用できる足マッサージ器を提供することを目的とする。
【課題を解決するための手段】
【０００８】  そして、本発明は上記目的を達成するために、ケース本体内に遠赤外線ランプ、ヒーター、バイブレーター、セラミックボールを設けてなること。また、ケース本体内において、遠赤外線ランプを前部に設け、ヒーターを面状ヒーターとして底面に設け、バイブレーター及びセラミックボールを底面に設けてなること。ケース本体の後部にローラーを設けてなること。さらに、ケース本体内に、足の指股に挿入する挿入具を設けてなること。挿入具を突設してなる足板を設けてなること。さらにまた、ケース本体に、膝カバーを設けてなること。その上、足板の先端部付近に足の指股に挿入する挿入具を可動自在に設けてなることを特徴とする。
【発明の効果】
【０００９】１）、足の表裏を温めることにより、血液循環をよくし、特に夏場の冷房使用時や冬場の血行不良等に効果があると共に、疲労回復・健康増進に効果がある。
２）、遠赤外線ランプをケース本体内の前部に設け、ヒーターを面状ヒーターとして底面に設けると共に、バイブレーターを底面に設け、ローラーを後部に設けることにより、足の表面を遠赤外線ランプで温めると共に、面状ヒーターで足の裏を温め、バイブレーターにて指圧効果を向上させ、必要に応じてローラーにて足の裏をマッサージすることができる。
３）、セラミックボールをケース本体内の底面に設けることにより、ヒーターにて温められたセラミックボールから遠赤外線やマイナスイオンが放射されると共に、足を上下させることにより足の裏のみならず、側面や表面も刺激され、より効果を高めることができる。
４）、足の指股に挿入する挿入具を設けることにより、指股を温めると共に、指圧効果を有し、特に内臓を活性化させる作用がある。
５）、膝カバーを設けることにより足全体を温めることができ、より一層疲労回復・健康増進に効果を有する。
６）、挿入具を上下動させることにより、指股のマッサージを行うことができる。
【発明を実施するための最良の形態】
【実施例１】
【００１０】  以下、本発明の実施の形態を図面に基づいて詳細に説明する。
１は、足マッサージ器である。
２は、ケース本体で、上方を開口した合成樹脂製等による箱型略平面方形状に形成してあるものである。
３は、上記ケース本体２内側前面に設けてなる遠赤外線ランプで、足の表面を照らし、血液循環等を良くしてなる。
なお、遠赤外線ランプの替わりにハロゲンランプを使用してもよい。
４は、上記ケース本体２内の底面に設けてなるヒーターである。
５は、上記ケース本体２内のヒーター４の底面に設けてなるバイブレーターである。
６は、上記ケース本体２内の底面に設けてなるセラミックボールで、例えば黄土を球状に形成し、８００℃〜１３００℃で焼結してなるもので、上記ヒーター４で加熱することにより、遠赤外線及びマイナスイオンを発生するものである。
７は、上記ケース本体２の後部に設けてなるローラーで、軸７ａに円盤７ｂを複数個設けてなるもので、足の特に裏面や側面をマッサージするものである。
８は、上記ヒーター４から突出、あるいは上記ケース本体２の底面より突出してなる足の指股に挿入する挿入具で、バイブレーター５により振動マッサージを行うものである。【００１１】  上記足マッサージ器１について使用例を説明する。
ケース本体２内に足Ｆを入れ、ヒーター４の上方に置くと共に、指股Ｙに挿入具８を挿入する。
この状態で、遠赤外線ランプ３を点燈させると共に、ヒーター４を発熱させ、必要に応じてバイブレーター５を作動させる。【００１２】  上記のような状態において、遠赤外線ランプ２により足の表面を温めると共に、ヒーター４及びバイブレーター５の作用によりセラミックボール６−−−を加熱振動させ、足Ｆの裏面及び側面に対してマッサージを行うと共に、挿入具８も同様に指股マッサージを行うものである。【００１３】  なお、必要に応じてローラー７を使用し、足Ｆ１の裏をローラーマッサージする。
【実施例２】
【００１４】  つぎに、他の実施例を紹介する。
足マッサージ器２１は、上記と同様なケース本体２２内に、遠赤外線ランプ２３、ローラー２７を設けると共に、前部にネット袋２６ａにセラミックボール２６を入れ、その下面にバイブレーター２５を設け、中央部から後部にヒーター２４を設け、その上面にセラミック製による突起９ａを設け、かつ挿入具２８を突設してなる足板９を設けてある。【００１５】  上記足マッサージ器２１の使用例としては、バイブレーター２５を作動させることによりネット袋２６ａに入れたセラミックボール２６が振動し、足の裏（図示せず）をマッサージすると共に、ヒーター２４を発熱させ足板９を温めることにより、足の裏を温め、指圧効果も有する。
特に、ネット袋によりセラミックボールの清掃等が楽であり、同様に足板９も取り外し、洗浄等が可能で、交換もできるものである。
【実施例３】
【００１６】  足マッサージ器３１は、表面に突起３２ａ−−−を形設すると共に、正面湾曲状に形成してなる足板３２の先端部付近に足の指股に挿入する球状の挿入具３３を連結したゴム等にて可動可能に設けてなるもので、材質としてはセラミックが適当と思われる。【００１７】  上記足マッサージ器３１は、挿入具３３を指股に挿入し、指圧効果を得ると共に、上方に引っ張り出し、指股の上方に位置させた後、指を開くことにより下方へ挿入具３３を移動させ、マッサージ効果を得ることができるものである。【００１８】  なお、上記各実施例において、遠赤外線ランプやヒーターの温度は特に限定するものではなく、４０℃〜６０℃等、必要に応じて決めればよい。
また、バイブレーターの振動数も特に限定するものではない。
さらに、セラミックボールの材質は特に限定（黄土）するものではなく、他のセラミックでもよい。
さらにまた、挿入具内にヒーター線を入れ強制的に温度を保持すると共に、殺菌力のあるセラミック等で挿入具を形成することにより、水虫等の白癬菌にも有効である。
上記第１・第２実施例において、ケース本体に布製等による膝カバー２ａ・２２ａ（着脱自在）を設けるのも一考である。
【図面の簡単な説明】
【００１９】
【図１】  本発明の第１実施例を示す足マッサージ器の一部縦断正面図。
【図２】  本発明の第１実施例を示す足マッサージ器の平面図。
【図３】  本発明の第１実施例を示す足マッサージ器の一部縦断使用状態正面図。
【図４】  本発明の第２実施例を示す足マッサージ器の一部縦断正面図。
【図５】  本発明の第２実施例を示す足マッサージ器の平面図。
【図６】  本発明の第３実施例を示す足マッサージ器の平面図。
【図７】  本発明の第３実施例を示す足マッサージ器の正面図。
【符号の説明】
【００２０】  １−−−足マッサージ器
２−−−ケース本体
３−−−遠赤外線ランプ
４−−−ヒーター
５−−−バイブレーター
６−−−セラミックボール
７−−−ローラー
８−−−挿入具
９−−−足板
【図１】
2006051315.tif 000003
【図２】
2006051315.tif 000004
【図３】
2006051315.tif 000005
【図４】
2006051315.tif 000006
【図５】
2006051315.tif 000007
【図６】
2006051315.tif 000008
【図７】
2006051315.tif 000009